(57)【要約】【課題】写真が撮影された日付や場所に関連する任意のデータを表示することができるようにする。【解決手段】印刷済の写真に埋め込まれたＱＲコードを携帯電話機１００のカメラで撮影し、ＱＲコードで表された日付情報や位置情報を読み取り、日付情報に対応する日付と同一日付で保存されている日記等の任意のデータをメモリ２２から読み出し、携帯電話機１００の表示部７に表示したり、位置情報に対応する位置と同一位置またはその近辺で作成され保存された日記等の任意のデータをメモリ２２から読み出し、携帯電話機１００の表示部７に表示したりする。【選択図】図１１
2010176287.tif 000002
【特許請求の範囲】
【請求項１】
入力情報を入力する入力手段と、
前記入力手段によって入力された前記入力情報を、前記入力情報が入力されたときの日付を表す入力日付情報と前記入力情報が入力された場所を表す入力位置情報のうちの少なくともいずれか一方と関連付けて記憶する入力情報記憶手段と、
画像が生成されたときの日付を表す日付情報と画像が生成された場所を表す位置情報のうちの少なくともいずれか一方からなる付加情報を表す付加情報画像を読み取る付加情報画像読取手段と、
前記付加情報画像読取手段によって読み取られた前記付加情報画像によって表される前記日付情報と前記位置情報のうちの少なくともいずれか一方に対応する前記入力日付情報と前記入力位置情報のうちの少なくともいずれか一方に関連付けて記憶された前記入力情報を前記入力情報記憶手段から検索し読み出す入力情報読出手段と、
前記入力情報読出手段によって読み出された前記入力情報を前記表示装置に表示する表示制御手段と、
を備えることを特徴とする携帯機器。
【請求項２】
被写体の画像を撮像する撮像手段と、
現在位置を示す位置情報を取得する位置取得手段と、
現在の日付を示す日付情報を取得する日付取得手段と、
前記位置取得手段によって取得された前記位置情報と、前記日付取得手段によって取得された前記日付情報とからなる付加情報を表す前記付加情報画像を生成する生成手段と、
前記撮像手段によって撮像された前記画像と、前記生成手段によって生成された前記付加情報画像とを合成し、合成画像を生成する合成画像生成手段と、
をさらに備えることを特徴とする請求項１に記載の携帯機器。
【請求項３】
前記付加情報を含むＥＸＩＦデータを生成するＥＸＩＦデータ生成手段をさらに備え、
前記生成手段は、前記ＥＸＩＦデータの付加情報に基づいて、前記位置情報および前記日付情報を表す前記付加情報画像を生成し、
前記合成画像生成手段は、前記画像と前記付加情報画像とを合成した合成画像を生成する、
ことを特徴とする請求項２に記載の携帯機器。
【請求項４】
入力情報を入力する入力ステップと、
前記入力ステップにおいて入力された前記入力情報を、前記入力情報が入力されたときの日付を表す入力日付情報と前記入力情報が入力された場所を表す入力位置情報のうちの少なくともいずれか一方と関連付けてメモリに記憶する入力情報記憶ステップと、
画像が生成されたときの日付を表す日付情報と画像が生成された場所を表す位置情報のうちの少なくともいずれか一方からなる付加情報を表す付加情報画像を読み取る付加情報画像読取ステップと、
前記付加情報画像読取ステップにおいて読み取られた前記付加情報画像によって表される前記日付情報と前記位置情報のうちの少なくともいずれか一方に対応する前記入力日付情報と前記入力位置情報のうちの少なくともいずれか一方に関連付けて前記メモリに記憶されている前記入力情報を前記メモリから検索し読み出す入力情報読出ステップと、
前記入力情報読出ステップにおいて読み出された前記入力情報を前記表示装置に表示する表示制御ステップと、
を備えることを特徴とする携帯機器の制御方法。
【請求項５】
入力情報を入力する入力ステップと、
前記入力ステップにおいて入力された前記入力情報を、前記入力情報が入力されたときの日付を表す入力日付情報と前記入力情報が入力された場所を表す入力位置情報のうちの少なくともいずれか一方と関連付けてメモリに記憶する入力情報記憶ステップと、
画像が生成されたときの日付を表す日付情報と画像が生成された場所を表す位置情報のうちの少なくともいずれか一方からなる付加情報を表す付加情報画像を読み取る付加情報画像読取ステップと、
前記付加情報画像読取ステップにおいて読み取られた前記付加情報画像によって表される前記日付情報と前記位置情報のうちの少なくともいずれか一方に対応する前記入力日付情報と前記入力位置情報のうちの少なくともいずれか一方に関連付けて前記メモリに記憶されている前記入力情報を前記メモリから検索し読み出す入力情報読出ステップと、
前記入力情報読出ステップにおいて読み出された前記入力情報を前記表示装置に表示する表示制御ステップと、
をコンピュータに実行させることを特徴とする携帯機器の制御プログラム。
【発明の詳細な説明】
【技術分野】
【０００１】
本発明は、携帯機器および携帯機器の制御方法並びに携帯機器の制御プログラムに関し、特に、被写体の画像を撮像することができ、かつ文字情報等の任意のデータを入力し保存することができる携帯機器および携帯機器の制御方法並びに携帯機器の制御プログラムに関する。
【背景技術】
【０００２】
近年、複数のＧＰＳ（Global Positioning System）衛星からの電波を受信して現在位置を測定するＧＰＳ受信機が普及してきている。このＧＰＳ受信機は、携帯電話機やパーソナルコンピュータ等に搭載され、現在位置の情報と日付および時刻の情報を容易に取得することができるようになっている。また、ＧＰＳ受信機を搭載し、写真撮影時にＧＰＳ受信機がＧＰＳ衛星からの電波を受信して現在位置を測定し、撮影された写真のデータと付加情報としての現在位置を示す位置データおよび日時のデータとを例えばＥＸＩＦ（Exchangeable Image File Format）のファイル形式でメモリに記録することができるデジタルカメラも登場している。
【０００３】
また、特許文献１の技術では、同一イベントに属する画像に対して同一の識別コード（二次元コード等）を付与する。そして、各画像の一部領域（例えば右下端部の矩形領域）に、その画像に関する情報を表す識別コードの画像を合成した合成画像を生成し、記憶する。これにより、画像に合成された識別コードから画像に関する情報、例えばその画像に対応するイベント等を知ることができる。
【０００４】
識別コードには画像に対応するイベントの他、画像に付加されたメッセージ、画像のタイトル、画像に関連するＵＲＬ（Uniform Resource Locator ）等を含めることができる。従って、画像に合成された識別コードを読み取って、画像に付加されたメッセージ、画像のタイトル、画像に関連するＵＲＬ等を表示することができる。
【０００５】
また、そのＵＲＬで特定されるホームページ上にその画像に関連する他の画像を閲覧可能な状態でアップロードしておけば、その画像を配布された人がその画像の識別コードを取り込み、インターネットに接続して識別コードに含まれるＵＲＬにアクセスすることにより、その画像に関連する他の画像を閲覧することができる。また、同一イベントの画像を同一の色調や濃度で表示させることができる。
【０００６】
また、特許文献２には、模様、イラスト、写真等が印刷されたランチョンマットに、模様、イラスト、写真等に関連する情報やメッセージを表すＱＲコード（登録商標）を印刷することにより、携帯電話機等でそのＱＲコードを読み取って関連する情報やメッセージを容易に得ることができるという技術が開示されている。
【０００７】
また、特許文献３には、画像データに関する情報をバーコードで表して画像データとともに記録し、画像データをプリントして得られた写真に埋め込まれたバーコードを読み取ることにより、写真に関する各種情報を得ることができるという技術が開示されている。例えば、プリント枚数や配布先情報をバーコードに含めることにより、プリントサービス店は写真に付随するバーコードを読み取り、指定枚数だけプリントするとともに、プリントした写真を直接配布先に配送することができる。
【先行技術文献】
【特許文献】
【０００８】
【特許文献１】特開２００８−２１７４９５号公報
【特許文献２】実用新案登録第３１３３９８３号公報
【特許文献３】特開２００１−０２８７２４号公報
【発明の概要】
【発明が解決しようとする課題】
【０００９】
しかしながら、ＧＰＳ受信機を搭載した携帯電話機やデジタルカメラでは、ＧＰＳ受信機を用いて取得した現在の位置および日時を、撮影した写真と関連付けて記録することはできるが、写真に直接関係しないその他の任意の情報を写真に関連付けるということはできなかった。
【００１０】
また、特許文献１の発明では、画像に対応するメッセージ、タイトル、ＵＲＬ、イベント等の情報を表す二次元コード等を画像の右下端等の一部領域に合成した合成画像を生成し、プリントすることにより、その画像に関連する情報や画像をインターネット経由で取得したり、同一イベントの画像を同一の色調や濃度で表示することにより、同一イベントの画像を連続して閲覧するときに見やすくすることができるが、画像に直接関係しないその他の任意の情報を画像に関連付けるということはできなかった。
【００１１】
また、特許文献２の発明では、模様、イラスト、写真等が印刷されたランチョンマット等に、その模様、イラスト、写真等に関する情報を表すＱＲコードを印刷し、ＱＲコードを携帯電話機等を用いて読み取ることにより、データベースサーバ等に接続することなく、ＱＲコードから情報を直接取得し、表示することができるが、模様、イラスト、写真等とは直接関係しない他の任意の情報を模様、イラスト、写真等に関連付けるということはできなかった。
【００１２】
また、特許文献３の発明では、画像に関する情報をバーコードで表して画像とともに記録することにより、プリントされた写真に埋め込まれたバーコードを読み取って写真に関する各種情報を得ることができるが、写真とは直接関係しないその他の任意の情報を写真に関連付けるということはできなかった。
【００１３】
本発明は、上記問題点に鑑みてなされたものであり、画像に任意の情報を容易に関連付けることができる携帯機器等を提供することを目的とする。
【００１４】
また、本発明は、撮像画像に任意の情報を容易に関連付けて記憶し、画像とともに容易に読み出して表示することができる携帯機器等を提供することを目的とする。
【課題を解決するための手段】
【００１５】
上記目的を達成するため、本発明の第１の観点に係る携帯機器は、入力情報を入力する入力手段と、前記入力手段によって入力された前記入力情報を、前記入力情報が入力されたときの日付を表す入力日付情報と前記入力情報が入力された場所を表す入力位置情報のうちの少なくともいずれか一方と関連付けて記憶する入力情報記憶手段と、画像が生成されたときの日付を表す日付情報と画像が生成された場所を表す位置情報のうちの少なくともいずれか一方からなる付加情報を表す付加情報画像を読み取る付加情報画像読取手段と、前記付加情報画像読取手段によって読み取られた前記付加情報画像によって表される前記日付情報と前記位置情報のうちの少なくともいずれか一方に対応する前記入力日付情報と前記入力位置情報のうちの少なくともいずれか一方に関連付けて記憶された前記入力情報を前記入力情報記憶手段から検索し読み出す入力情報読出手段と、前記入力情報読出手段によって読み出された前記入力情報を前記表示装置に表示する表示制御手段と、を備えることを特徴とする。
【００１６】
また、本発明の第２の観点に係る携帯機器の制御方法は、入力情報を入力する入力ステップと、前記入力ステップにおいて入力された前記入力情報を、前記入力情報が入力されたときの日付を表す入力日付情報と前記入力情報が入力された場所を表す入力位置情報のうちの少なくともいずれか一方と関連付けてメモリに記憶する入力情報記憶ステップと、画像が生成されたときの日付を表す日付情報と画像が生成された場所を表す位置情報のうちの少なくともいずれか一方からなる付加情報を表す付加情報画像を読み取る付加情報画像読取ステップと、前記付加情報画像読取ステップにおいて読み取られた前記付加情報画像によって表される前記日付情報と前記位置情報のうちの少なくともいずれか一方に対応する前記入力日付情報と前記入力位置情報のうちの少なくともいずれか一方に関連付けて前記メモリに記憶されている前記入力情報を前記メモリから検索し読み出す入力情報読出ステップと、前記入力情報読出ステップにおいて読み出された前記入力情報を前記表示装置に表示する表示制御ステップと、を備えることを特徴とする。
【００１７】
また、本発明の第３の観点に係る携帯機器の制御プログラムは、入力情報を入力する入力ステップと、前記入力ステップにおいて入力された前記入力情報を、前記入力情報が入力されたときの日付を表す入力日付情報と前記入力情報が入力された場所を表す入力位置情報のうちの少なくともいずれか一方と関連付けてメモリに記憶する入力情報記憶ステップと、画像が生成されたときの日付を表す日付情報と画像が生成された場所を表す位置情報のうちの少なくともいずれか一方からなる付加情報を表す付加情報画像を読み取る付加情報画像読取ステップと、前記付加情報画像読取ステップにおいて読み取られた前記付加情報画像によって表される前記日付情報と前記位置情報のうちの少なくともいずれか一方に対応する前記入力日付情報と前記入力位置情報のうちの少なくともいずれか一方に関連付けて前記メモリに記憶されている前記入力情報を前記メモリから検索し読み出す入力情報読出ステップと、前記入力情報読出ステップにおいて読み出された前記入力情報を前記表示装置に表示する表示制御ステップと、をコンピュータに実行させることを特徴とする。
【発明の効果】
【００１８】
本発明によれば、画像が撮像された日時や位置をキーとして、画像と情報とを関連付けることができる。
【図面の簡単な説明】
【００１９】
【図１】本発明に係る携帯電話機の構成例を示すブロック図である。
【図２】携帯電話機を構成する制御回路の詳細な構成例を示すブロック図である。
【図３】ＧＰＳデータの例を示す図である。
【図４】日記データテーブルの例を示す図である。
【図５】日記データの作成手順を説明するためのフローチャートである。
【図６】画像撮像時の処理手順を説明するためのフローチャートである。
【図７】ＱＲコード撮像時の処理手順を説明するためのフローチャートである。
【図８】ＧＰＳデータからＥＸＩＦデータを生成する処理手順を説明するためのフローチャートである。
【図９】ＥＸＩＦデータからＱＲコードを復元し合成画像を生成する処理手順を説明するためのフローチャートである。
【図１０】携帯電話機を用いて被写体の画像を撮像しているときの処理イメージを示す図である。
【図１１】写真に埋め込まれたＱＲコードを読み取り、関連する日記を表示部に表示するときの処理イメージを示す図である。
【図１２】ＥＸＩＦデータに付加情報として含まれるＧＰＳデータに基づいて、画像にＱＲコードを埋め込んだ合成画像を生成する処理イメージを示す図である。
【図１３】日記データテーブルの他の例を示す図である。
【図１４】日記データの他の作成手順を説明するためのフローチャートである。
【図１５】写真が撮影された場所またはその近辺で作成され保存された日記を表示する手順を示すフローチャートである。
【発明を実施するための形態】
【００２０】
以下、本発明の実施の形態に係る携帯電話機１００の構成例および動作について説明する。携帯電話機１００は、図１に示すように、アンテナ１、無線機２、ＧＰＳ受信機３、キーボード４、音声回路５、スピーカ６、表示部７、外部インタフェース８、イヤホンジャック９、レンズ３１とＣＣＤ（Charge Coupled Device）３２等からなるカメラ３０等により構成されている。
【００２１】
図２を参照して後述するように、制御回路１０は制御プログラムに従って各部を制御する。アンテナ１は、受信した電波に対応する電気信号を無線機２に供給するとともに、無線機２から供給された電気信号に対応する電波を出力する。無線機２は、アンテナ１および制御回路１０にそれぞれ接続され、制御回路１０の制御の下、アンテナ１を介して無線通信を行う。
【００２２】
ＧＰＳ（Global Positioning System）受信機３は、制御回路１０に接続され、複数のＧＰＳ衛星からの電波を受信し、現在位置を測定し、測定の結果得られた現在位置を示す位置情報と現在の日時を示す日付情報とを制御回路１０に供給する。音声回路５は、制御回路１０に接続され、制御回路１０から供給された音声データを音声信号に変換する。スピーカ６は、音声回路５に接続され、音声回路５から出力された音声信号に対応する音声を出力する。イヤホンジャック９は、音声回路５に接続され、ヘッドホン等が接続されると、音声回路５から出力された音声信号を接続されたヘッドホン等に出力する。
【００２３】
液晶ディスプレイ（LCD: Liquid Crystal Display）等からなる表示部７は、制御回路１０に接続され、制御回路１０から供給された表示データを表示する。キーボード４は、制御回路１０に接続され、各種コマンドやデータを入力するために用いられる。カメラ３０は、制御回路１０に接続され、レンズ３１とＣＣＤ３２等で構成され、被写体の画像を撮像し、撮像した画像に対応する画像データを制御回路１０に供給する。外部インタフェース８は、図示しない外部機器との間で各種コマンドやデータの送受信を行う。
【００２４】
上記制御回路１０は、図２に示すように、画像データ取得部１１、ＧＰＳデータ取得部１２、ＱＲコード生成部１３、合成画像生成部１４、ＥＸＩＦデータ生成部１５、画像出力部１６、ＱＲコード読取部１７、位置日付取得部１８、日記取得部１９、表示データ生成部２０、表示制御部２１、メモリ２２、日記データ入力保存部３３等で構成されている。
【００２５】
画像データ取得部１１は、カメラ３０から供給される画像データを取得する。ＧＰＳデータ取得部１２は、ＧＰＳ受信機３から供給されるＧＰＳデータを一定の時間間隔で取得する。ＧＰＳデータは、例えば、図３に示すように、ＧＰＳ受信機３によって測定された現在位置を示す位置情報（経度および緯度で表される）と、その位置が測定された日時を表す日付情報（年月日時分秒等で表される）とからなる。ＧＰＳデータは一定の時間間隔で繰り返し得ることができる。この例では、日付情報（2008.12.4.12:23:54）と位置情報（135.23.245,47.22.567）等からなるＧＰＳデータが取得されている。
【００２６】
ＱＲコード生成部１３は、ＧＰＳデータ取得部１２によって取得されたＧＰＳデータに対応する文字列をＱＲコードに変換することにより、ＧＰＳデータに対応するＱＲコードを生成する。ＱＲコード生成部１３は、ＧＰＳ受信機３によって測定された現在位置と、現在の時刻を示す文字列（例えば、「135.23.245、47.22.567、2008.12.4 12:23:54」）をＱＲコードに変換するようになっている。
【００２７】
合成画像生成部１４は、ＱＲコード生成部１３によって生成されたＱＲコードと、画像データ取得部１１によって取得された画像データを合成し、合成画像を生成する。ＥＸＩＦデータ生成部１５は、画像データ取得部１１によって取得された画像データに、ＧＰＳデータ取得部１２によって取得されたＧＰＳデータを付加情報として付加するためのＥＸＩＦデータを生成し、このＥＸＩＦデータを画像データに付加し、ＥＸＩＦデータを含む画像データを生成する。
【００２８】
メモリ２２は、画像データ取得部１１によって取得された画像データ、ＧＰＳデータ取得部１２によって取得されたＧＰＳデータ、ＥＸＩＦデータ生成部１５によって生成されたＥＸＩＦデータが埋め込まれた画像データ、合成画像生成部１４によって生成された合成画像のデータ、後述する表示データ生成部２０によって生成された表示データ、キーボードから入力された日記データ等を記憶する。
【００２９】
画像出力部１６は、メモリ２２に記憶された合成画像のデータを読み出し、出力する。画像出力部１６が合成画像のデータを図示しないプリンタに出力することにより、合成画像のデータが印刷された写真４０を得ることができる。この写真４０には、ＱＲコード５０が埋め込まれている。
【００３０】
また、ＱＲコード読取部１７は、画像データを印刷して得られた写真４０の例えば右下隅に印刷されたＱＲコード５０の画像を読み取った上記カメラ３０から供給される画像データからＱＲコードを認識し、ＱＲコードで表される情報を読み取る。位置日付取得部１８は、ＱＲコード読取部１７によって読み取られたＱＲコードで表される情報から位置情報と日付情報を取得する。
【００３１】
日記取得部１９は、メモリ２２に位置情報および日付情報に対応付けて記憶されている日記データの中から、画像データの位置情報や日付情報に対応する位置情報や日付情報に関連付けられたものを取得する。
【００３２】
日記データが格納される日記データテーブルは、図４に示すように、日時を表す日付情報と、その日付情報に対応する文字列等からなる日記データの２つの項目からなる１または複数のレコードで構成されている。日記データはキーボード４から入力され、日記データの入力が開始された日時、または日記データがメモリ２２に保存された日時と対応付けられている。この例では、日付情報（2008.12.4,14:12:31）と日記データ（「せっかくの旅行なのに寝坊．．．」）等からなるレコードが保存されている。
【００３３】
表示データ生成部２０は、日記取得部１９によって取得された日記データと位置日付取得部１８によって取得された位置情報および日付情報を表示部７に表示するための表示データを生成する。生成された表示データはメモリ２２に記憶される。表示制御部２１は、表示データ生成部２０によって生成された表示データをメモリ２２から読み出し、表示部７に表示させる。日記データ入力保存部３３は、日記データの入力処理およびメモリ２２への保存処理を制御する。
【００３４】
日記データは、図５のフローチャートに示すような手順で作成され保存される。以下の処理は日記データ入力保存部３３により制御される。まず、ステップＳ１において、携帯電話機１００のモードを日記入力モードに切り替える指示があったか否かが判定される。ユーザがキーボード４を操作して日記入力モードへの切り替えを指示すると、日記入力モードへ切り替える指示があったと判定され、ステップＳ２において日記入力モードへの切り替えが行われる。一方、日記入力モードへの切り替え指示が無いと判定された場合、ステップＳ１の処理が繰り返し実行される。
【００３５】
次に、ステップＳ３において、キーボード４が操作されたか否かが判定される。キーボード４が操作されていないと判定された場合、ステップＳ３の処理が繰り返し実行される。一方、キーボード４が操作され、文字入力が行われたと判定された場合、ステップＳ４に進み、入力された文字が表示部７に表示される。その後、ステップＳ３に戻り、ステップＳ３以降の処理が繰り返し実行される。
【００３６】
一方、キーボード４が操作され、保存指示がなされた場合、ステップＳ５に進み、入力された文字があるか否か、即ち、日記データが入力されたか否かが判定される。入力された文字がないと判定された場合、ステップＳ３に戻り、ステップＳ３以降の処理が繰り返し実行される。一方、入力された文字があると判定された場合、ステップＳ６に進む。ステップＳ６においては、現在の日付が取得される。現在の日付は、図示しない時計回路を内蔵し、時計回路から取得するようにしてもよいし、ネットワークを介して外部から取得してもよい。その他様々な方法で現在の日付を取得することができる。
【００３７】
次に、ステップＳ７において、ステップＳ６で取得した日付と、ステップＳ４で入力された文字からなる日記データとを対応付けてメモリ２２の日記データテーブルに保存する。
【００３８】
一方、キーボード４が操作され、終了指示がなされた場合、ステップＳ８に進み、日記入力モードを終了させるための終了処理が実行される。
【００３９】
ステップＳ７またはステップＳ８の処理が終了すると、ステップＳ１に戻り、ステップＳ１以降の処理が繰り返し実行される。
【００４０】
次に、図６のフローチャートを参照して、撮像した画像にＧＰＳデータに対応するＱＲコードの画像が合成される手順について説明する。ユーザが携帯電話機１００を操作してカメラ撮影モードにし、シャッターボタンを押下すると、ステップＳ１１において、カメラ３０により被写体の画像が撮像される。次に、ステップＳ１２において、撮像された画像に対応する画像データが生成され、画像データ取得部１１に供給される。
【００４１】
次に、ステップＳ１３において、ＧＰＳデータ取得部１２によりＧＰＳ受信機３からＧＰＳデータを取得する処理が実行される。次に、ステップＳ１４において、使用可能なＧＰＳデータが存在するか否かが判定される。例えば、ＧＰＳ受信機３により現在位置が測定され、現在の日付を示す日付情報とともに現在位置を示す位置情報がＧＰＳデータとして出力されているとき、使用可能なＧＰＳデータが存在するとされる。
【００４２】
その結果、使用可能なＧＰＳデータが存在すると判定された場合、ＧＰＳ受信機３から取得したＧＰＳデータが、ＱＲコード生成部１３およびＥＸＩＦデータ生成部１５に供給される。その後、ステップＳ１５に進む。
【００４３】
ステップＳ１５においては、ＱＲコード生成部１３により、ＧＰＳデータ取得部１２によって取得されたＧＰＳデータを表すＱＲコードが生成される。即ち、ＧＰＳデータに対応する文字列がＱＲコードに変換される。ＱＲコード生成部１３によって生成されたＱＲコードは合成画像生成部１４に供給される。
【００４４】
次に、ステップＳ１６において、合成画像生成部１４は、画像データ取得部１１より供給された画像データと、ＱＲコード生成部１３によって生成されたＱＲコードとを合成して合成画像を生成する。例えば、画像の右下隅の正方形の領域にＱＲコードが埋め込まれた合成画像が生成される。
【００４５】
ステップＳ１６の処理が終了すると、ステップＳ１７に進み、生成された合成画像がメモリ２２に記憶される。一方、ステップＳ１４において、使用可能なＧＰＳデータがないと判定された場合、ステップＳ１７に進み、画像データのみがメモリ２２に記憶される。その後、本処理は終了する。
【００４６】
次に、図７のフローチャートを参照して、携帯電話機１００を用いて写真等に印刷されているＱＲコードを読み取り、ＱＲコードで表される日付と同一の日付に対応付けて保存された日記データをメモリ２２から検索して読み出し、表示部７に表示する手順について説明する。
【００４７】
ユーザが携帯電話機１００を操作してＱＲコード読取モードにし、シャッターボタンを押下すると、ステップＳ２１において、カメラ３０は印刷されたＱＲコード５０（図２）の画像を撮像する。このＱＲコード５０は、図２に示すように、印刷された写真４０に埋め込まれたものである。カメラ３０は、撮像したＱＲコード５０の画像に対応する画像データをＱＲコード読取部１７に供給する。
【００４８】
次に、ステップＳ２２において、カメラ３０によって撮像されたＱＲコードの画像に対応する画像データがＱＲコード読取部１７によって取得され、この画像データがＱＲコードに変換される。その後、ＱＲコードによって表される文字列が位置日付取得部１８に供給される。
【００４９】
次に、ステップＳ２３において、位置日付取得部１８により、ＱＲコード読取部１７から供給されたＱＲコードに対応する文字列から、位置情報と日付情報が取得される。
【００５０】
次に、ステップＳ２４において、日記取得部１９により、ＱＲコードから取得された日付情報に対応する日付と同一日付に対応付けられている日記データがメモリ２２に保存されているか否かが判定される。即ち、ＱＲコードから取得された日付情報に対応する日付をキーとして、メモリ２２に記憶されている日記データが検索される。
【００５１】
その結果、ＱＲコードから取得された日付情報に対応する日付と同一日付に対応付けられている日記データがメモリ２２に保存されていると判定された場合、ステップＳ２５に進む。
【００５２】
ステップＳ２５においては、日記取得部１９により、ＱＲコードから取得された日付情報に対応する日付と同一日付に対応付けられている日記データがメモリ２２から検索され取得される。取得された日記データは、表示データ生成部２０に供給される。次に、ステップＳ２７において、表示データ生成部２０により、位置情報と日付情報と日記データからなる表示データが生成される。
【００５３】
一方、ステップＳ２４において、ＱＲコードから取得された日付情報に対応する日付と同一日付に対応付けられている日記データがメモリ２２に保存されていないと判定された場合、ステップＳ２６に進む。ステップＳ２６においては、表示データ生成部２０により、位置情報と日付情報のみからなる表示データが生成される。
【００５４】
ステップＳ２７またはステップＳ２６の処理が終了すると、ステップＳ２８に進む。ステップＳ２８においては、ステップＳ２７またはステップＳ２６において表示データ生成部２０によって生成された表示データが表示制御部２１の制御により表示部７に表示される。その後、本処理を終了する。
【００５５】
次に、図８のフローチャートを参照して、撮像した画像の画像データとＧＰＳデータから、ＧＰＳデータを含むＥＸＩＦデータが埋め込まれた画像データを生成する手順について説明する。ユーザが携帯電話機１００を操作してＥＸＩＦデータ生成モードにし、カメラ撮影モードにした後、シャッターボタンを押下すると、ステップＳ３１において、カメラ３０により被写体の画像が撮像される。次に、ステップＳ３２において、撮像された画像に対応する画像データが生成され、画像データ取得部１１に供給される。
【００５６】
次に、ステップＳ３３において、ＧＰＳデータ取得部１２によりＧＰＳ受信機３からＧＰＳデータを取得する処理が実行される。次に、ステップＳ３４において、使用可能なＧＰＳデータが存在するか否かが判定される。
【００５７】
例えば、ＧＰＳ受信機３により現在位置の測定が正常に行われ、ＧＰＳデータの取得が可能か否かが判定される。その結果、使用可能なＧＰＳデータが存在すると判定された場合、ＧＰＳ受信機３から取得したＧＰＳデータが、ＱＲコード生成部１３およびＥＸＩＦデータ生成部１５にそれぞれ供給される。その後、ステップＳ３５に進む。
【００５８】
ステップＳ３５においては、ＥＸＩＦデータ生成部１５は、画像データ取得部１１より供給された画像データと、ＧＰＳデータ取得部１２から供給されたＧＰＳデータとに基づいて、画像データにＧＰＳデータを付加情報として付加するためのＥＸＩＦデータを生成する。画像データの画像形式はRGB無圧縮方式やJPEG方式などによる複数の形式が可能である。
【００５９】
一方、ステップＳ３４において、使用可能なＧＰＳデータが存在しないと判定された場合、ステップＳ３６に進み、ＥＸＩＦデータ生成部１５により、ＧＰＳデータを付加情報として含まないＥＸＩＦデータが生成される。
【００６０】
ステップＳ３５またはステップＳ３６の処理が終了すると、ステップＳ３７に進み、ＥＸＩＦデータ生成部１５は、ステップＳ３５またはステップＳ３６において生成したＧＰＳデータを付加情報として含むＥＸＩＦデータを含む画像データまたはＧＰＳデータを付加情報として含まないＥＸＩＦデータを含む画像データをメモリ２２に供給し、記憶させる。その後、本処理を終了する。
【００６１】
次に、図９のフローチャートを参照して、メモリ２２に格納したＥＸＩＦデータにＧＰＳデータを含む画像データからＱＲコードを復元し、画像データの一部（例えば右下隅）にＱＲコードを埋め込んだ合成画像を生成する処理手順について説明する。
【００６２】
この処理は、必要に応じて所定のタイミングでメモリ２２から適宜画像データを選択して実行することができる。また、メモリ２２に記憶されているすべての画像データに対して実行することもできる。その場合、携帯電話機１００を操作していない空き時間にバックグラウンドで実行させることもできる。
【００６３】
以下ではユーザがメモリ２２に記憶されている画像データのうちの１つを選択する場合について説明する。ユーザが携帯電話機１００を操作してＱＲコード選択生成処理実行を指示し、次に画像データを選択すると、ステップＳ４１において、ＱＲコード生成部１３は、メモリ２２からユーザによって選択された画像データを読み込む。
【００６４】
次に、ステップＳ４２において、ＱＲコード生成部１３により、ステップＳ４１においてメモリ２２から読み込まれた画像データのＥＸＩＦデータに付加情報としてのＧＰＳデータが含まれているか否かが判定される。ＥＸＩＦデータに付加情報としてのＧＰＳデータが含まれていると判定された場合、ステップＳ４３に進む。
【００６５】
ステップＳ４３において、ＱＲコード生成部１３は、ＥＸＩＦデータに含まれる付加情報としてのＧＰＳデータを表す文字列に対応するＱＲコードを生成する。即ち、ＧＰＳデータに含まれる位置情報と日付情報とを表すＱＲコードを生成する。生成したＱＲコードは、合成画像生成部１４に供給される。
【００６６】
次に、ステップＳ４５において、合成画像生成部１４は、ＱＲコード生成部１３より供給された画像データとＱＲコードとに基づいて、画像の一部にＱＲコードを埋め込んだ合成画像に対応する表示データを生成する。例えば、画像の右下隅の正方形の領域にＱＲコードを埋め込んだ合成画像に対応する表示データを生成する。
【００６７】
即ち、画像の右下隅の正方形の領域に対応する画像データの各値を０に初期化しておき、その領域にＱＲコードに対応する各値を書き込むか、或いは、画像の右下隅の正方形の領域に対応する画像データの各値にＱＲコードに対応する各値を上書きすることにより、合成画像に対応する表示データを生成する。
【００６８】
一方、ステップＳ４２において、ＱＲコード生成部１３により、ステップＳ４１においてメモリ２２から読み込まれた画像データのＥＸＩＦデータに付加情報としてのＧＰＳデータが含まれていないと判定された場合、ステップＳ４４に進む。
【００６９】
ステップＳ４４においては、合成画像生成部１４は、ＱＲコード生成部１３より供給された画像データのみからなる表示データを生成する。
【００７０】
ステップＳ４５またはステップＳ４４の処理が終了すると、ステップＳ４６に進み、
表示制御部２１は、合成画像生成部１４によって生成された表示データを表示部７に表示させる。その後、本処理を終了する。
【００７１】
以下では、撮像した被写体の画像にＧＰＳデータに対応するＱＲコードを埋め込んだ合成画像のデータを生成する場合について説明する。携帯電話機１００を用いて被写体の画像を撮像し、合成画像を生成するために、ユーザが携帯電話機１００を操作して合成画像生成モードにし、シャッターボタンを押下すると、図１０に示すように、携帯電話機１００のカメラ３０によって風景等の被写体の画像が撮像される。また、ＧＰＳ受信機３によって被写体を撮像しているときの位置を示す位置情報と日時を示す日付情報からなるＧＰＳデータが生成され、ＧＰＳデータ取得部１２により、ＧＰＳデータが取得される。
【００７２】
ＧＰＳデータ取得部１２によって取得されたＧＰＳデータは、ＱＲコード生成部１３に供給され、ＧＰＳデータに含まれる位置情報と日付情報を表す文字列に対応するＱＲコードが生成される。生成されたＱＲコードは合成画像生成部１４に供給される。
【００７３】
次に、合成画像生成部１４により、撮像された風景等の被写体の画像の一部（例えば、右下隅の正方形の領域）に、ＱＲコードを埋め込んだ合成画像が生成される。このＱＲコードは、図１０に示したように、例えば、位置情報「135.23.245、47.22.567」と、日付情報「2008.12.4 12:23:54」を表している。この合成画像のデータはメモリ２２に供給され、記憶される。
【００７４】
メモリ２２に記憶された合成画像のデータを、図示しない外部のプリンタに送信して合成画像を印刷したり、携帯電話機１００の表示部７に表示させたりすることができる。例えば、合成画像を印刷して得られる写真４０に含まれるＱＲコード５０の画像を携帯電話機１００のカメラ３０で撮影すると、ＱＲコード５０に対応する画像データがＱＲコード読取部１７に供給され、この画像データからＱＲコードが読み取られ、位置日付取得部１８によりＱＲコードに含まれる位置情報と日付情報が取得され、表示データ生成部２０に供給される。
【００７５】
表示データ生成部２０は、位置日付取得部１８より供給された位置情報と日付情報を表示するための表示データを生成し、表示制御部２１は、表示データを表示部７に表示する。このように、印刷された写真４０に埋め込まれたＱＲコード５０を携帯電話機１００のカメラ３０で撮影するだけで、位置情報および日付情報を表示部７に表示させることができるので、印刷された写真４０が撮影された場所や日時を簡単かつ迅速に知ることができる。
【００７６】
写真４０に埋め込まれたＱＲコード５０を読み取り、関連する日記を表示部７に表示するために、携帯電話機１００を操作してＱＲコード読取モードにし、シャッターボタンを押下すると、図１１に示すように、携帯電話機１００のカメラ３０によって写真４０に埋め込まれたＱＲコード５０の画像が撮影され、得られたＱＲコード５０の画像に対応する画像データがＱＲコード読取部１７に供給される。
【００７７】
ＱＲコード読取部１７によりこの画像データからＱＲコードが読み取られ、ＱＲコードで表される文字列に変換される。次に、このＱＲコードに対応する文字列が位置日付取得部１８に供給されると、位置日付取得部１８によりＱＲコードに対応する文字列に含まれる位置情報と日付情報が取得され、日記取得部１９に供給される。
【００７８】
日記取得部１９は、位置日付取得部１８より供給された位置情報および日付情報のうちの日付情報に基づいて、その日付情報に対応する日時をキーとして、その日時に対応付けてメモリ２２に記憶されている日記データを検索する。検索の結果、その日時に対応付けてメモリ２２に記憶されている日記データがあれば、その日記データをメモリ２２から取得し、取得した日記データを位置情報および日付情報とともに表示データ生成部２０に供給する。
【００７９】
表示データ生成部２０は、日記取得部１９より供給された位置情報、日付情報、および日記データを表示部７に表示するための表示データを生成する。表示制御部２１は、生成された表示データを表示部７に表示する。
【００８０】
この例では、携帯電話機１００の表示部７の画面上部にＱＲコードで表された情報（位置情報と日付情報）が表示され、その下側にその日付情報に対応する日付に対応付けられている日記が表示されている。この場合、写真が撮影された日時が２００８年１２月４日１２時２３分５４秒であるので、２００８年１２月４日の日記が表示されている。
【００８１】
このように、写真が撮影された日に書かれ保存された日記データを、日時をキーとしてメモリ２２から検索して読み出し、表示部７に表示することができるので、写真が撮影された時期の自分の状況等を思い出すことができる。例えば、自分が何をしていたのか、どういうことに興味があったのか、何を考えていたのか等を思い出すことができる。
【００８２】
日記データと対応付けられる日時は、日記データの入力を開始した日時としたり、入力を終えてメモリ２２に保存した日時等とすることができる。検索キーとしては日付のみを用いることもできるし、日時を用いることもできる。或いは、月と日のみを検索キーとすれば、同一季節に作成された日記データを検索して表示することもできる。
【００８３】
以下では、画像データのＥＸＩＦデータに含まれるＧＰＳデータに対応するＱＲコードを画像に埋め込んだ合成画像のデータを生成する場合について説明する。画像データのＥＸＩＦデータに含まれるＧＰＳデータに基づいて、画像にＱＲコードを埋め込んだ合成画像を生成するために、携帯電話機１００を操作して、メモリ２２に記憶されている画像データのうちの１つを指定すると、図１２に示すように、ＱＲコード生成部１３は、メモリ２２から選択された画像データを読み出す。この画像データにはＱＲコードは埋め込まれていない。
【００８４】
次に、ＱＲコード生成部１３は、画像データのＥＸＩＦデータに含まれる付加情報としてのＧＰＳデータを取得する。ＧＰＳデータは位置情報と日付情報とにより構成されている。
【００８５】
次に、ＱＲコード生成部１３は、ＥＸＩＦデータに含まれる位置情報および日付情報を表すＱＲコードを生成し、画像データとともに合成画像生成部１４に供給する。合成画像生成部１４は、ＱＲコード生成部１３より供給された画像データとＱＲコードとに基づいて、画像の一部、例えば右下隅の正方形の領域にＱＲコードを埋め込んだ合成画像を生成し、合成画像のデータをメモリ２２に記憶させる。
【００８６】
メモリ２２に記憶された合成画像のデータは、表示制御部２１によって読み出され、表示制御部２１の制御により表示部７に表示される。これにより、図１２に示すようなＱＲコードが右下隅に埋め込まれた合成画像が表示部７に表示される。メモリ２２に記憶された合成画像のデータを画像出力部１６が図示しないプリンタに出力し、印刷すれば、ＱＲコードを含む写真４０（図１１）を得ることができる。
【００８７】
日記データは日付情報のみと対応付けてメモリ２２に記憶されているが、位置情報とも対応付けてメモリ２２に記憶させることができる。例えば、入力した日記データを保存するときに、自動的にＧＰＳ受信機３がＧＰＳ衛星からの電波を受信し、現在位置を測定してＧＰＳデータを生成し、ＧＰＳデータ取得部１２がＧＰＳ受信機３からＧＰＳデータを取得し、ＧＰＳデータに含まれる位置情報および日付情報に、今入力した日記データを対応付けてメモリ２２に記憶させるようにすることができる。
【００８８】
図１３に示すように、メモリ２２に保存される日記データテーブルは、日時を表す日付情報と、位置を表す位置情報と、その日付情報および位置情報に対応する文字列等からなる日記データの３つの項目からなる１または複数のレコードで構成されている。
【００８９】
キーボード４が操作されて入力された日記データは、日記データの入力が開始された日時、または日記データがメモリ２２に保存された日時と、日記データの入力が開始されたときの位置、または日記データがメモリ２２に保存されたときの位置のそれぞれに対応付けられている。このように、キーボード４を操作して入力された日記データは、ＧＰＳ受信機３によって測定された現在位置を示す位置情報および日時を示す日付情報と対応付けてメモリ２２に記憶される。
【００９０】
日付情報と位置情報に対応付けられてメモリ２２に記憶される日記データは、図１４のフローチャートに示すような手順で作成される。以下の処理は日記データ入力保存部３３の制御によって実行される。まず、ステップＳ５１において、携帯電話機１００のモードを日記入力モードに切り替える指示があったか否かが判定される。ユーザがキーボード４を操作して日記入力モードへの切り替えを指示すると、日記入力モードへ切り替える指示があったと判定され、ステップＳ５２において日記入力モードへの切り替えが行われる。一方、日記入力モードへの切り替え指示が無いと判定された場合、ステップＳ５１の処理が繰り返し実行される。
【００９１】
次に、ステップＳ５３において、キーボード４が操作されたか否かが判定される。キーボード４が操作されていないと判定された場合、ステップＳ５３の処理が繰り返し実行される。一方、キーボード４が操作され、文字入力が行われたと判定された場合、ステップＳ５４に進み、入力された文字が表示部７に表示される。その後、ステップＳ５３に戻り、ステップＳ５３以降の処理が繰り返し実行される。
【００９２】
一方、キーボード４が操作され、保存指示がなされた場合、ステップＳ５５に進み、入力された文字があるか否か、即ち、日記データが入力されたか否かが判定される。入力された文字がないと判定された場合、ステップＳ５３に戻り、ステップＳ５３以降の処理が繰り返し実行される。一方、入力された文字があると判定された場合、ステップＳ５６に進む。ステップＳ５６においては、ＧＰＳデータ取得部１２によりＧＰＳデータ（現在の日付を示す日付情報と現在の位置を示す位置情報を含む）が取得される。
【００９３】
次に、ステップＳ５７において、ステップＳ５６で取得したＧＰＳデータ（日付情報および位置情報を含む）と、ステップＳ５４で入力された文字からなる日記データとを対応付けてメモリ２２の日記データテーブルに保存する。
【００９４】
一方、キーボード４が操作され、終了指示がなされた場合、ステップＳ５８に進み、日記入力モードを終了させるための終了処理が実行される。
【００９５】
ステップＳ５７またはステップＳ５８の処理が終了すると、ステップＳ５１に戻り、ステップＳ５１以降の処理が繰り返し実行される。
【００９６】
このように、日記データを日記データが入力され保存された日時に対応する日付情報だけでなく、日記データが入力され保存された場所に対応する位置情報とも対応付けてメモリ２２に記憶させることにより、写真４０が撮影された日付と同一日付に入力され保存された日記データのみならず、写真４０が撮影された場所またはその近辺で入力された日記データをメモリ２２から読み出して表示させることが可能となる。
【００９７】
次に、図１５のフローチャートを参照して、ＧＰＳデータを構成する位置情報に対応付けて記憶された日記データのうち、写真４０が撮影された場所またはその近辺で作成され保存された日記データをメモリ２２から読み出し、表示する手順を説明する。図１３に示したように、日記データは位置情報および日付情報にそれぞれ対応付けてメモリ２２に記憶されている。
【００９８】
写真４０に埋め込まれたＱＲコードを撮像するために、ユーザが携帯電話機１００を操作してＱＲコード読取モードにし、シャッターボタンを押下すると、ステップＳ６１において、カメラ３０によりＱＲコードの画像が撮像される。次に、ステップＳ６２において、ＱＲコード読取部１７により、カメラ３０からＱＲコードの画像に対応する画像データが取得され、この画像データからＱＲコードが読み取られ、ＱＲコードで表される文字列に変換される。この文字列は位置日付取得部１８に供給される。
【００９９】
次に、ステップＳ６３において、位置日付取得部１８により、ＱＲコード読取部１７から供給されたＱＲコードに対応する文字列から、位置情報と日付情報が取得される。取得された位置情報および日付情報は日記取得部１９に供給される。
【０１００】
次に、ステップＳ６４において、日記取得部１９により、ＱＲコードから取得された位置情報に対応する位置をキーとして、その位置と同一位置またはその近辺で作成された日記データをメモリ２２から検索する。この検索の結果により、ＱＲコードから取得された位置情報に対応する位置と同一位置またはその近辺で作成された日記データがメモリ２２に保存されているか否かが判定される。
【０１０１】
同一位置の近辺とは、例えば、ＱＲコードから取得された位置情報に対応する位置を中心とした所定の範囲内にある領域とすることができる。判定の結果、同一位置またはその近辺で作成された日記データがメモリ２２に保存されていると判定された場合、ステップＳ６５に進む。
【０１０２】
ステップＳ６５においては、日記取得部１９により、ＱＲコードから取得された位置情報に対応する位置と同一位置またはその近辺で作成された日記データがメモリ２２から取得される。取得された日記データは、表示データ生成部２０に供給される。次に、ステップＳ６７において、表示データ生成部２０により、位置情報と日付情報と日記データとからなる表示データが生成される。
【０１０３】
一方、ステップＳ６４において、ＱＲコードから取得された位置情報に対応する位置と同一位置またはその近辺で作成された日記データがメモリ２２に保存されていないと判定された場合、ステップＳ６６に進む。ステップＳ６６においては、表示データ生成部２０により、位置情報と日付情報のみからなる表示データが生成される。
【０１０４】
ステップＳ６７またはステップＳ６６の処理が終了すると、ステップＳ６８に進む。ステップＳ６８においては、ステップＳ６７またはステップＳ６６において表示データ生成部２０によって生成された表示データが、表示制御部２１の制御により表示部７に表示される。
【０１０５】
このように、入力された日記データをその日記データが入力され保存されたときの日時に対応する日付情報のみならず、その日記データが入力され保存されたときの位置を示す位置情報とも対応付けることにより、写真４０が撮影された位置と同一位置またはその近辺で入力され保存された日記データをメモリ２２から読み出して表示させることが可能となる。これにより、写真４０が撮影された場所またはその近辺にいた自分の状況等を思い出すことができる。
【０１０６】
なお、本発明は上記実施の形態に限定されず、種々の変形及び応用が可能である。
【０１０７】
例えば、上記実施の形態では、静止画像にＱＲコードを埋め込む場合について説明したが、動画像にＱＲコードを埋め込むようにしてもよい。その場合、動画像を構成するすべてのフレームにＱＲコードを埋め込んだり、一部のフレームのみにＱＲコードを埋め込んだりすることができる。
【０１０８】
また、写真４０に埋め込まれたＱＲコード５０で表される日付情報や位置情報に関連する文字情報からなる日記データを表示するようにしたが、日記データの他に、スケジュール、絵日記、動画、音声、およびそれらの組み合わせからなる各種データを表示または出力するようにしてもよい。
【０１０９】
また、上記実施の形態においては、ＱＲコードで表される日付と同一日付の日記データを表示するようにしたが、その日付から前後数日以内に作成され保存された日記データ等を表示するようにすることもできる。
【０１１０】
また、写真に埋め込まれたＱＲコードで表される日付情報と位置情報とを組み合わせて、日付情報に対応する日付と一致する日またはその日の前後数日以内に作成され、かつ、位置情報に対応する位置と一致する位置またはその近辺で作成された日記データを表示するようにすることもできる。
【０１１１】
また、上記実施の形態では、ＱＲコードを用いるようにしたが、バーコードやその他の二次元コードを用いるようにすることもできる。
【０１１２】
また、ＥＸＩＦデータとして画像データに付加されたＧＰＳデータを表すＱＲコードを生成し、そのＱＲコードを画像データに埋め込んで合成画像のデータを生成する処理は、コンピュータを用いて行うこともできる。
【産業上の利用可能性】
【０１１３】
本発明は、携帯電話機のみならず、カメラ機能とＧＰＳ受信機能と情報記録機能を有する様々な機器に適用することができる。
【符号の説明】
【０１１４】
１  アンテナ
２  無線機
３  ＧＰＳ受信機
４  キーボード
５  音声回路
６  スピーカ
７  表示部
８  外部インタフェース
９  イヤホンジャック
１０  制御回路
１１  画像データ取得部
１２  ＧＰＳデータ取得部
１３  ＱＲコード生成部
１４  合成画像生成部
１５  ＥＸＩＦデータ生成部
１６  画像出力部
１７  ＱＲコード読取部
１８  位置日付取得部
１９  日記取得部
２０  表示データ生成部
２１  表示制御部
２２  メモリ
３０  カメラ
３１  レンズ
３２  ＣＣＤ
３３  日記データ入力保存部
４０  写真
５０  ＱＲコード
１００  携帯電話機
【図１】
2010176287.tif 000003
【図２】
2010176287.tif 000004
【図３】
2010176287.tif 000005
【図４】
2010176287.tif 000006
【図５】
2010176287.tif 000007
【図６】
2010176287.tif 000008
【図７】
2010176287.tif 000009
【図８】
2010176287.tif 000010
【図９】
2010176287.tif 000011
【図１０】
2010176287.tif 000012
【図１１】
2010176287.tif 000013
【図１２】
2010176287.tif 000014
【図１３】
2010176287.tif 000015
【図１４】
2010176287.tif 000016
【図１５】
2010176287.tif 000017